【手続補正書】
【提出日】平成27年5月14日(2015.5.14)
【手続補正１】
【補正対象書類名】特許請求の範囲
【補正対象項目名】全文
【補正方法】変更
【補正の内容】
【特許請求の範囲】
【請求項１】
オペレーティングシステムが表示するライブタイルコンテンツを特定するための集合であるタイルリストに、第１のプリントキューのプリンター情報を含む第１のライブタイルコンテンツと、第２のプリントキューのプリンター情報を含む第２のライブタイルコンテンツを追加する制御手段を有し、
前記第１のプリントキュー及び前記第２のプリントキューは同一のアプリケーションに関連付けられており、
前記オペレーティングシステムは、前記タイルリストに従って、タイルの表示領域に前記第１のライブタイルコンテンツを表示して、前記第１のライブタイルコンテンツの表示後に、前記タイルの表示領域に前記第１のライブタイルコンテンツの代わりに前記第２のライブタイルコンテンツを表示し、
前記タイルの表示領域が指示されることにより、前記アプリケーションが管理している複数の周辺機器の状況を示した画面の表示が行われることを特徴とする情報処理装置。
【請求項２】
前記制御手段は、前記第１のプリントキューのプリンター情報に基づいて前記第１のライブタイルコンテンツを、前記第２のプリントキューのプリンター情報に基づいて前記第２のライブタイルコンテンツを生成することを特徴とする請求項１に記載の情報処理装置。
【請求項３】
前記制御手段は、第１のステータスである前記第１のプリントキューのプリンター情報を含む第１のライブタイルコンテンツを生成して、前記第１のライブタイルコンテンツを前記タイルリストに追加した後に前記オペレーティングシステムから前記第１のプリントキューのステータスが前記第１のステータスとは異なるステータスである第２のステータスに変化したことを示す通知を受け付けた場合に、前記第２のステータスである前記第１のプリントキューのプリンター情報を含む前記第３のライブタイルコンテンツを生成して、前記第１のライブタイルコンテンツを前記第３のライブタイルコンテンツで更新することを特徴とする請求項１又は請求項２に記載の情報処理装置。
【請求項４】
前記オペレーティングシステムから前記第１のプリントキューが生成されたことを示す通知を受け付けた場合に前記制御手段は、前記第１のライブタイルコンテンツを生成して、前記タイルリストに前記第１のライブタイルコンテンツを追加することを特徴とする請求項１乃至３のいずれか１項に記載の情報処理装置。
【請求項５】
前記制御手段は前記第１のプリントキューのプリンター情報のステータスがエラーでありかつ前記第２のプリントキューのプリンター情報のステータスが正常である場合に前記第１のライブタイルコンテンツの第１の表示時間を前記第２のライブタイルコンテンツの第２の表示時間より長い時間で前記オペレーティングシステムに対して指定して、
前記オペレーティングシステムは、前記第１のライブタイルコンテンツを前記タイルの表示領域に表示して、前記第１の表示時間の経過後に前記第２のライブタイルコンテンツを前記タイルの表示領域に表示して、前記第２の表示時間の経過後に前記第２のライブタイルコンテンツの次のライブタイルコンテンツを表示することを特徴とする請求項１乃至３のいずれか１項に記載の情報処理装置。
【請求項６】
前記制御手段は、前記第１のプリントキューのプリンター情報のステータスが前記第２のプリントキューのプリンター情報のステータスよりも重要度が高いと判断した場合に前記第１のライブタイルコンテンツの表示順序を前記第２のライブタイルコンテンツの表示順序より先にして前記オペレーティングシステムに対して指定して、
前記オペレーティングシステムは、前記タイルの表示領域を含むホーム画面表示後に、前記タイルの表示領域に前記第１のライブタイルコンテンツを表示して、前記第１のライブタイルコンテンツの表示後に、前記タイルの表示領域に前記第１のライブタイルコンテンツの代わりに前記第２のライブタイルコンテンツを表示することを特徴とする請求項１乃至５のいずれか１項に記載の情報処理装置。
【請求項７】
前記プリンター情報は前記プリントキューの名称、前記プリントキューに対応する周辺機器のアイコン又は前記プリントキューのステータス情報のうちいずれか一つ以上を含む情報であることを特徴とする請求項１乃至６のいずれか１項に記載の情報処理装置。
【請求項８】
前記制御手段は前記第１のプリントキューのプリンター情報のステータスがエラーでありかつ前記第２のプリントキューのプリンター情報のステータスが正常である場合に、前記第２のライブタイルコンテンツを前記タイルリストに追加せずに、前記第１のライブタイルコンテンツを前記タイルリストに追加して、
前記オペレーティングシステムは前記第２のライブタイルコンテンツを前記タイルの表示領域に表示しないことを特徴とする請求項１乃至７のいずれか１項に記載の情報処理装置。
【請求項９】
前記制御手段は前記第１のプリントキューのプリンター情報のステータスがエラーでありかつ前記第２のプリントキューのプリンター情報のステータスが正常である場合に、前記第１のライブタイルコンテンツを前記タイルリストに追加せずに、前記第２のライブタイルコンテンツを前記タイルリストに追加して、
前記オペレーティングシステムは前記第１のライブタイルコンテンツを前記タイルの表示領域に表示しないことを特徴とする請求項１乃至７のいずれか１項に記載の情報処理装置。
【請求項１０】
コンピュータに、
オペレーティングシステムが表示するライブタイルコンテンツを特定するための集合であるタイルリストに、第１のプリントキューのプリンター情報を含む第１のライブタイルコンテンツと、第２のプリントキューのプリンター情報を含む第２のライブタイルコンテンツを追加する制御工程を実行させ、
前記第１のプリントキュー及び前記第２のプリントキューは同一のアプリケーションに関連付けられており、
前記オペレーティングシステムは、前記タイルリストに従って、タイルの表示領域に前記第１のライブタイルコンテンツを表示して、前記第１のライブタイルコンテンツの表示後に、前記タイルの表示領域に前記第１のライブタイルコンテンツの代わりに前記第２のライブタイルコンテンツを表示し、
前記タイルの表示領域が指示されることにより、前記アプリケーションが管理している複数の周辺機器の状況を示した画面の表示が行われることを特徴とするプログラム。
【請求項１１】
前記制御工程は、前記第１のプリントキューのプリンター情報に基づいて前記第１のライブタイルコンテンツを、前記第２のプリントキューのプリンター情報に基づいて前記第２のライブタイルコンテンツを生成することを特徴とする請求項１０に記載のプログラム。
【請求項１２】
前記制御工程は、第１のステータスである前記第１のプリントキューのプリンター情報を含む第１のライブタイルコンテンツを生成して、前記第１のライブタイルコンテンツを前記タイルリストに追加した後に前記オペレーティングシステムから前記第１のプリントキューのステータスが前記第１のステータスとは異なるステータスである第２のステータスに変化したことを示す通知を受け付けた場合に、前記第２のステータスである前記第１のプリントキューのプリンター情報を含む前記第３のライブタイルコンテンツを生成して、前記第１のライブタイルコンテンツを前記第３のライブタイルコンテンツで更新することを特徴とする請求項１０又は請求項１１に記載のプログラム。
【請求項１３】
前記オペレーティングシステムから前記第１のプリントキューが生成されたことを示す通知を受け付けた場合に前記制御工程は、前記第１のライブタイルコンテンツを生成して、前記タイルリストに前記第１のライブタイルコンテンツを追加することを特徴とする請求項１０乃至１２のいずれか１項に記載のプログラム。
【請求項１４】
前記制御工程は前記第１のプリントキューのプリンター情報のステータスがエラーでありかつ前記第２のプリントキューのプリンター情報のステータスが正常である場合に前記第１のライブタイルコンテンツの第１の表示時間を前記第２のライブタイルコンテンツの第２の表示時間より長い時間で前記オペレーティングシステムに対して指定して、
前記オペレーティングシステムは、前記第１のライブタイルコンテンツを前記タイルの表示領域に表示して、前記第１の表示時間の経過後に前記第２のライブタイルコンテンツを前記タイルの表示領域に表示して、前記第２の表示時間の経過後に前記第２のライブタイルコンテンツの次のライブタイルコンテンツを表示することを特徴とする請求項１０乃至１２のいずれか１項に記載のプログラム。
【請求項１５】
前記制御工程は、前記第１のプリントキューのプリンター情報のステータスが前記第２のプリントキューのプリンター情報のステータスよりも重要度が高いと判断した場合に前記第１のライブタイルコンテンツの表示順序を前記第２のライブタイルコンテンツの表示順序より先にして前記オペレーティングシステムに対して指定して、
前記オペレーティングシステムは、前記タイルの表示領域を含むホーム画面表示後に、前記タイルの表示領域に前記第１のライブタイルコンテンツを表示して、前記第１のライブタイルコンテンツの表示後に、前記タイルの表示領域に前記第１のライブタイルコンテンツの代わりに前記第２のライブタイルコンテンツを表示することを特徴とする請求項１０乃至１４のいずれか１項に記載のプログラム。
【請求項１６】
前記プリンター情報は前記プリントキューの名称、前記プリントキューに対応する周辺機器のアイコン又は前記プリントキューのステータス情報のうちいずれか一つ以上を含む情報であることを特徴とする請求項１０乃至１５のいずれか１項に記載のプログラム。
【請求項１７】
前記制御工程は前記第１のプリントキューのプリンター情報のステータスがエラーでありかつ前記第２のプリントキューのプリンター情報のステータスが正常である場合に、前記第２のライブタイルコンテンツを前記タイルリストに追加せずに、前記第１のライブタイルコンテンツを前記タイルリストに追加して、
前記オペレーティングシステムは前記第２のライブタイルコンテンツを前記タイルの表示領域に表示しないことを特徴とする請求項１０乃至１６のいずれか１項に記載のプログラム。
【請求項１８】
前記制御工程は前記第１のプリントキューのプリンター情報のステータスがエラーでありかつ前記第２のプリントキューのプリンター情報のステータスが正常である場合に、前記第１のライブタイルコンテンツを前記タイルリストに追加せずに、前記第２のライブタイルコンテンツを前記タイルリストに追加して、
前記オペレーティングシステムは前記第１のライブタイルコンテンツを前記タイルの表示領域に表示しないことを特徴とする請求項１０乃至１６のいずれか１項に記載のプログラム。
【請求項１９】
オペレーティングシステムが表示するライブタイルコンテンツを特定するための集合であるタイルリストに、第１のプリントキューのプリンター情報を含む第１のライブタイルコンテンツと、第２のプリントキューのプリンター情報を含む第２のライブタイルコンテンツを追加する制御工程を有し、
前記第１のプリントキュー及び前記第２のプリントキューは同一のアプリケーションに関連付けられており、
前記オペレーティングシステムは、前記タイルリストに従って、タイルの表示領域に前記第１のライブタイルコンテンツを表示して、前記第１のライブタイルコンテンツの表示後に、前記タイルの表示領域に前記第１のライブタイルコンテンツの代わりに前記第２のライブタイルコンテンツを表示し、
前記タイルの表示領域が指示されることにより、前記アプリケーションが管理している複数の周辺機器の状況を示した画面の表示が行われることを特徴とする制御方法。
【手続補正２】
【補正対象書類名】明細書
【補正対象項目名】０００５
【補正方法】変更
【補正の内容】
【０００５】
上記の目的を達成するための本発明に係る情報処理装置は、
オペレーティングシステムが表示するライブタイルコンテンツを特定するための集合であるタイルリストに、第１のプリントキューのプリンター情報を含む第１のライブタイルコンテンツと、第２のプリントキューのプリンター情報を含む第２のライブタイルコンテンツを追加する制御手段を有し、
前記第１のプリントキュー及び前記第２のプリントキューは同一のアプリケーションに関連付けられており、
前記オペレーティングシステムは、前記タイルリストに従って、タイルの表示領域に前記第１のライブタイルコンテンツを表示して、前記第１のライブタイルコンテンツの表示後に、前記タイルの表示領域に前記第１のライブタイルコンテンツの代わりに前記第２のライブタイルコンテンツを表示し、
前記タイルの表示領域が指示されることにより、前記アプリケーションが管理している複数の周辺機器の状況を示した画面の表示が行われることを特徴とする。